(57)【特許請求の範囲】
【請求項１】
第一の枢軸に連結した上端部と、第二の枢軸に連結した下端寄り部分とを備え、第一の枢軸を中心とした回動および第二の枢軸を中心とした回動を可能に、第一の枢軸に支持される上側脚体と、
第二の枢軸に連結した上端部を備え、第二の枢軸を中心とした回動を可能に、第二の枢軸を介して前記上側脚体に支持される下側脚体と、
弾性部材によって前記下側脚体の上方に向けた弾力が付与された状態で、該下側脚体に沿って変位可能に第二の枢軸に連結された上端部と、該上端部に接続し、前記上側脚体の下端縁と係合可能な係止爪部とを備え、前記下側脚体に上端部に配置されるストッパと、
を備え、
展開時には、第二の枢軸を中心に前記上側脚体と前記下側脚体を相対的に回動させて、前記上側脚体の下端縁を前記係止爪部に係合させることにより、前記上側脚体と前記下側脚体の展開状態を保持し、折り畳み時には、前記ストッパを下方に変位させ、前記係止爪部と前記上側脚体の下端縁との係合を外し、第二の枢軸を中心に前記上側脚体と前記下側脚体を展開時とは逆方向に相対的に回動させて、折り畳むことが可能である、
折り畳み脚。
【請求項２】
前記ストッパは、前記下側脚体の内側に伸長し、前記上端部を有する１対の側板部と、該側板部の上端部の片側縁同士を連結するとともに、前記下側脚体の外側に楔形に伸長し、下端部が前記係止爪部に接続する連結部とをさらに備え、前記１対の側板部の上端部に第二の枢軸を挿通する上下方向長孔が設けられ、かつ、前記弾性部材が第二の枢軸と前記側板部のうちの少なくとも一方の下端部との間に設けられたコイルばねからなる、請求項１に記載した折り畳み脚。
【請求項３】
前記上側脚体の断面形状がＵ字形であり、折り畳んだ状態で、この上側脚体の内側部分に、前記下側脚体が収納される、請求項１または２に記載した折り畳み脚。
【請求項４】
前記下側脚体は、第三の枢軸に連結した下端部を備え、第三の枢軸を中心とした回動を可能に、第三の枢軸にも支持される、請求項１〜３のうちの何れか１項に記載した折り畳み脚。
【請求項５】
１枚の天板と１枚の底板とを複数個の折り畳み脚により連結して構成され、これらの折り畳み脚が請求項４に記載した折り畳み脚である、折り畳みテーブル。
【発明の詳細な説明】
【技術分野】
【０００１】
本発明は、折り畳み脚およびこの折り畳み脚を組み込んだ折り畳みテーブルに関する。
【背景技術】
【０００２】
ベッドやソファなどの脇に配置され、小物を載置することができるとともに、非使用時に折り畳んで収納することが可能な折り畳みテーブル（サイドテーブル）が広く使用されている。このような折り畳みテーブルに組み込む折り畳み脚として、従来から様々な構造が提案されている。図５〜図６は、従来構造の折り畳み脚の第１例を示している。この折り畳み脚１は、Ｕ字形の天板金具３と脚体５とＵ字形の脚体金具６とを備え、天板２に天板金具３をその連結板部４を介して、脚体５に脚体金具６をその連結板部７を介して、それぞれ支持固定し、天板金具３の内側に脚体金具６を、枢軸８を中心とする回動を可能に連結して構成される。このような折り畳み脚１は、脚体５を展開した状態で保持するためのロック機構を備える。このロック機構は、折り畳み脚１を展開した状態で、天板金具３および脚体金具６の互いに整合する部分にそれぞれ形成された通孔９、１０と、ばね１１により外方に向けた弾力が付与された状態で、これらの通孔９、１０を挿通する軸杆１２とにより構成され、これらの通孔９、１０と軸杆１２との係合により、脚体５が展開した状態で保持される。
【０００３】
脚体５を折り畳む場合、図６に示すように、軸杆１２をばね１１の弾力に抗して内側に、軸杆１２と外側の天板金具３に設けた通孔９との係合が外れるまで、押し込む。この状態で、脚体５を、枢軸８を中心に、図５（Ａ）の時計方向に回動し、この脚体５を折り畳む。この時、軸杆１２の先端部が天板金具３の内側面と当接するまで、この先端部をばね１１の弾力に抗して押し込んだまま、脚体５を回動する必要がある。軸杆１２の先端部の形状は、脚体５を展開する際に、軸杆１２の先端部と通孔９とが整合した状態で、軸杆１２の先端部が通孔９を挿通して外方に弾性的に押し出されるように、半球面状となっている。このため、軸杆１２の先端部を押圧する指先には大きな力が加わる。また、軸杆１２の先端部を指先で押し込んだまま脚体５を回動するため、天板金具３と脚体金具６との間部分に指先を挟む可能性がある。
【０００４】
図７〜図８は、実用新案登録第３０４６５０９号公報に記載された、従来構造の折り畳み脚の第２例を示している。この折り畳み脚１ａは、天板金具３ａの１対の側板部１３ａ、１３ｂのうちの一方（図８の右側）の側板部１３ａの下端縁と側端縁とに、それぞれ切り欠き１４ａ、１４ｂを形成している。また、脚体金具６ａを構成する１対の側板部１５ａ、１５ｂのうちの一方（図８の右側）の側板部１５ａに上下方向長孔１６を設け、この上下方向長孔１６にピン１７を挿通している。ピン１７の基端部は、側板部１５ａ、１５ｂのうちの他方（図８の左側）の側板部１５ｂに、上下方向の揺動を可能に支持されており、ピン１７には、天板金具３ａの連結板部４とピン１７との間に設けたばね１１ａにより上方に向けた弾力が付与されている。脚体５ａを展開した状態では、側板部１３ａの下端縁に形成した切り欠き１４ａと、ピン１７とが係合するため、脚体５ａの展開状態が保持される。一方、脚体５ａを折り畳む場合、ピン１７をばね１１ａの弾力に抗し、下方に揺動変位させ、切り欠き１４ａとこのピン１７との係合を外す。そして、脚体５ａを枢軸８を中心に、図７（Ａ）の時計方向に回動することにより、脚体５ａを折り畳み、側板部１３ａの側端縁に形成した切り欠き１４ｂとピン１７とが係合して、脚体５ａの折り畳み状態が保持される。従来構造の第２例において、ピン１７を下方に揺動変位させて、切り欠き１４ａとピン１７との係合を外すため、指先に大きな力が加わったり、天板金具３ａと脚体金具６ａとの間に指先を挟んだりすることを防止できる。
【０００５】
しかしながら、従来構造の第２例の場合にも、次のような問題を生じる可能性がある。たとえば、折り畳み脚１ａを天板に取り付けて折り畳みテーブルを構成する場合、脚体５ａを折り畳んだ状態で、脚体５ａが天板２の中心に向かう方向に、折り畳み脚１ａを天板２の下面に取り付ける。したがって、脚体５ａの長さは天板２の寸法によって規制され、かつ、天板２に取り付けた脚体５ａが、折り畳んだ状態で、互いに干渉しないようにするためには、これらの脚体５ａの長さ寸法を、天板２の対角線方向または径方向の長さ寸法の半分以下に抑える必要がある。特に、折り畳み脚１ａを、サイドテーブルなどの天板が小さいテーブルに組み込む場合には、脚体５ａの長さ寸法を十分に確保できず、このテーブルの高さを十分に高くできない可能性がある。
【先行技術文献】
【特許文献】
【０００６】
【特許文献１】実用新案登録第３０４６５０９号公報
【発明の概要】
【発明が解決しようとする課題】
【０００７】
本発明は、上述のような事情に鑑みて、展開および折り畳みを容易に行うことができ、かつ、展開状態での高さ寸法を十分に確保できる折り畳み脚、および、この折り畳み脚を組み込んだ折り畳みテーブルを提供することを目的とする。
【課題を解決するための手段】
【０００８】
本発明の折り畳み脚は、上側脚体と、下側脚体と、ストッパとを備える。このうち、上側脚体は、第一の枢軸に連結した上端部と、第二の枢軸に連結した下端寄り部分とを備え、第一の枢軸を中心とした回動および第二の枢軸を中心とした回動を可能に、第一の枢軸に支持される。また、下側脚体は、第二の枢軸に連結した上端部を備え、第二の枢軸を中心とした回動を可能に、第二の枢軸を介して前記上側脚体に支持される。さらに、ストッパは、弾性部材によって前記下側脚体の上方に向けた弾力が付与された状態で、該下側脚体に沿って変位可能に第二の枢軸に連結された上端部と、該上端部に接続し、前記上側脚体の下端縁と係合可能な係止爪部とを備え、前記下側脚体に上端部に配置される。
【０００９】
本発明の折り畳み脚は、展開時には、第二の枢軸を中心に前記上側脚体と前記下側脚体を相対的に回動させて、前記上側脚体の下端縁を前記係止爪部に係合させることにより、前記上側脚体と前記下側脚体の展開状態を保持し、折り畳み時には、前記ストッパを下方に変位させ、前記係止爪部と前記上側脚体の下端縁との係合を外し、第二の枢軸を中心に前記上側脚体と前記下側脚体を展開時とは逆方向に相対的に回動させて、折り畳むことが可能になっている。
【００１０】
より具体的な構成として、前記ストッパに、前記下側脚体の内側に伸長し、前記上端部を有する１対の側板部と、該側板部の上端部の片側縁同士を連結するとともに、前記下側脚体の外側に楔形に伸長し、下端部が前記係止爪部に接続する連結部とをさらに設けるとともに、前記１対の側板部の上端部に第二の枢軸を挿通する上下方向長孔を設け、かつ、前記弾性部材を第二の枢軸と前記側板部のうちの少なくとも一方の下端部との間に設けられたコイルばねにより構成することができる。
【００１１】
本発明の折り畳み脚において、前記上側脚体の断面形状をＵ字形として、折り畳んだ状態で、この上側脚体の内側部分に、前記下側脚体を収納できるようにすることが好ましい。
【００１２】
本発明の折り畳み脚において、下側脚体の下端部を自由端として、該下端部を足部として床面に直接もしくは保護キャップなどの構造を介して載置させるようにすることもできるが、前記下側脚体に、第三の枢軸に連結した下端部を設け、第三の枢軸を中心とした回動を可能に、第三の枢軸にも支持されるようにして、別体の足構造ないしは支持構造に該下側脚体を接続させることも可能である。
【００１３】
本発明の折り畳み脚は、主としてサイドテーブルなどの折り畳み式のテーブルに適用されるが、その他、折り畳み椅子や折り畳み脚構造を適用可能なその他の家具やアウトドア用品にも広く適用可能である。特に、本発明の折り畳み脚は、天板と１枚の底板とを複数個の折り畳み脚により連結して構成される構造の折り畳みテーブルにおいて、これらの折り畳み脚の構造として好適に採用される。
【発明の効果】
【００１４】
本発明の折り畳み脚および折り畳みテーブルによれば、展開および折り畳みを容易に行うことができ、かつ、展開状態での高さ寸法を十分に確保できる。すなわち、上側脚体の長さの折り畳み状態から、展開時には、１．５倍以上の長さの脚構造を構成することが可能となる。また、単に上側脚体と下側脚体を相対的に回動させるだけで、ストッパを操作することなく、上側脚体を下側脚体に係合させることができ、かつ、脚構造を展開状態に保持することが可能となる。また、係合状態を高い剛性で保持できるとともに、ストッパの操作により簡単に上側脚体と下側脚体の係合状態を解除することが可能である。さらには、上側脚体と下側脚体を展開状態で同じ方向に伸長させる、すなわち、天板に対して垂直方向に脚構造を伸長させることのみならず、上側脚体と下側脚体を所定の角度をもって屈曲させて脚構造を構成することができるため、脚構造のデザインを含む設計の自由度が大きく向上させることができる。
【図面の簡単な説明】
【００１５】
【図１】図１は、本発明の実施の形態の折り畳み脚の一例を示す側面図である。
【図２】図２（Ａ）は、図１に示した折り畳み脚の一部を拡大して示す部分切断正面図であり、図２（Ｂ）は、図２（Ａ）のａ−ａ断面図である。
【図３】図３は、図１に示した折り畳み脚に用いられるストッパの展開図である。
【図４】図４（Ａ）は、本発明の実施の形態の折り畳み脚を適用した折り畳みテーブルの展開状態を示す斜視図（Ａ）であり、図４（Ｂ）は、この折り畳みテーブルの折り畳み途中の状態を示す図であり、図４（Ｃ）は、この折り畳みテーブルの折り畳んだ状態を示す図である。
【図５】図５（Ａ）は、従来構造の折り畳み脚の第１例を示す側面図であり、図５（Ｂ）は、図５（Ａ）のｂ−ｂ断面図である。
【図６】図６は、従来構造の第１例について、軸杆を押し込んだ状態で示す、図５（Ａ）のｃ部拡大図に相当する図である。
【図７】図７（Ａ）は、従来構造の折り畳み脚の第２例を示す側面図であり、図７（Ｂ）は、図７（Ａ）のｄ−ｄ断面図である。
【図８】図８は、図７（Ａ）の左方から見た状態を示す図である。
【発明を実施するための形態】
【００１６】
［折り畳み脚の実施の形態の一例］
図１〜図３は、本発明の折り畳み脚の実施の形態の一例を示している。本例の折り畳み脚１ｂは、上側脚体１８と、下側脚体１９と、ストッパ２０とにより構成される。これらの部材はいずれも、アルミニウム合金などの軽金属製の材料により形成される。
【００１７】
上側脚体１８は、主板部と両側の側板部とからなるＵ字形の断面形状を有する部材からなり、上側脚体１８の上端部は、テーブルの天板や椅子の座面などからなる上板部２１に支持固定したＵ字形の上側金具２２に、第一の枢軸２３を中心とした回動可能に内嵌および支持される。具体的には、上側脚体１８の側板部の上端部に通孔が設けられ、上側金具２２にも上側脚体１８の通孔と整合する通孔が設けられ、これらの通孔を挿通したリベットにより両者を嵌合した状態で固定する。また、上側脚体１８の側板部の下端寄り部分にも通孔が設けられる。なお、上側脚体１８は全長にわたってＵ字形とする必要はなく、下側脚体１９を折り畳み時に収納できれば、前記通孔を設ける上端部と下端部と、長手方向の一部で下側脚体１９が左右方向にずれることを防止するに必要な長さだけをＵ字形として、残余の部分を主板部のみからなる平板状とすることも可能である。また、側板部に、図示のような形状、その他の任意の形状の意匠を施して、軽量化を図ることも可能である。
【００１８】
また、下側脚体１９は、全体が矩形の断面形状を有し、上側脚体１８の開口面を介して、折り畳み時に上側脚体１８に内嵌して収容可能な寸法を有する、中空筒状の部材からなる。下側脚体１９の上端部は、上側脚体１８の下端寄り部分に、第二の枢軸２４を中心とした回動可能に支持される。このため、下側脚体１９の上端部は、上側脚体１８の両側の側板部に対向する側面を除き、切り欠かれており、かつ、下側脚体１９の上端部の両側側面は第二の枢軸２４を中心とする円形に形状付けられている。また、下側脚体１９の上端部の側面のうち、上側脚体の下端寄り部の通孔に整合する位置に通孔を設けて、これらの通孔を挿通したリベットにより両者を嵌合した状態で固定している。なお、下側脚体１９についても、Ｕ字形の断面形状を有する部材により構成することも可能である。
【００１９】
一方、下側脚体１９の下端部は、床面に直接載置可能な足構造として、この下端部に合成樹脂あるいはゴム製のキャップなどを被せることもできるが、図示の例では、足構造として、下板部２５を備え、下側脚体１９の下端部を、下板部２５に支持固定したＵ字形の下側金具２６に、リベットを用いて、第三の枢軸２７を中心とした回動可能に内嵌および支持される。
【００２０】
ストッパ２０は、１対の側板部２９と、この側板部２９を連結する楔形の連結部３０と、連結部３０の内側に支持固定され、係止爪部３１を備える楔形部材３２とにより構成される。本例では、より具体的には、１対の側板部２９は、下側脚体１９の両側の側面に沿って長手方向に伸長し、１対の側板部２９の上端部は、上側脚体１９の上端部の形状に沿うように、円形に形状付けられている。そして、１対の側板部２９の上端部には、第二の枢軸２４が内嵌かつ上下方向に摺動可能な上下方向長孔３５が形成されている。楔形の連結部３０は、１つの側板部２９と一体に形成されており、連結部３０の上端部が、１対の側板部２９の上端部寄りを幅方向に連結している。連結部３０は、主面と両側の側面とにより構成され、両側の側面は側面視で三角形状であり、全体として楔形に形成される。楔形部材３２は、中実材により形成され、連結部３０の内側に内嵌するとともに、一部が下方に突出しており、係止爪部３１は、楔形部材３２の連結部３０から突出した部分に連続して外方に伸長し、その先端が上方に折り返されるように構成されている楔形部材３２の係止爪部３１の連結部３０に内嵌される部分と係止爪部３１の上方に折り返された先端部との間には凹溝が形成される。
【００２１】
このストッパ２０を製造する場合、図３に示す、金属板にプレスによる打ち抜き加工を施すことにより形成した中間素材３３を、図３の鎖線α部分で曲げ成形することで連結部３０を形成する。連結部３０の内側に楔形部材３２をリベット３４により支持固定する。このため、連結部３０の側面に通孔が備えられるとともに、楔形部材３２にも、連結部３０の通孔と整合する位置に貫通孔が備えられている。このようなストッパ２０は、側板部２９を下側脚体１９の内側に内嵌挿入し、これらの側板部２９の互いに整合する部分に形成した上下方向長孔３５に第二の枢軸２４を挿通している。これにより、側板部２９は、ストッパ２０を下側脚体１９の上端部に、第二の枢軸２４が上下方向長孔３５内で移動できる範囲内で、下側脚体１９に対する上下方向の変位を可能に配置される。また、側板部２９のうちの一方の側板部２９の下端部の内側面に係止爪が設けられており、この側板部９の下端部の係止爪と第二の枢軸２４との間にばね１１ｂを設けて、ストッパ２０に上方に向けた弾力を付与している。
【００２２】
このような構造を有する折り畳み脚１ｂを展開する際に、上側脚体１８および下側脚体１９を、第一の枢軸２３、第二の枢軸２４、第三の枢軸２７を中心に回動すると、上側脚体１８の下端縁とストッパ２０の係止爪部３１の先端部とが当接する。本例の場合、係止爪部３１の先端部の断面形状をＲ状とすることで、係止爪部３１の先端部を、上側脚体１８の第二の枢軸２４を中心とした回動方向（図２（Ｂ）の時計方向）に対し傾斜させている。したがって、上側脚体１８の下端縁と係止爪部３１の先端部とが当接した状態で、上側脚体１８を第二の枢軸２４を中心にさらに回動すると、上側脚体１８の下端縁が、ばね１１ｂによる弾力に抗して、ストッパ２０を下方に押し下げる。そして、上側脚体１８の下端縁が、係止爪部３１の先端部を乗り越えて、係止爪部３１の内側にある凹溝に入り込むと、ストッパ２０がばね１１ｂの弾力により上方に変位し、上側脚体１８の下端縁と係止爪部３１とがわずかな干渉量（０．５ｍｍ〜１ｍｍ程度）で係合する。この状態で、この上側脚体１８の下端部の内側面と下側脚体１９の上端部の外側面との間に、楔形部材３２が狭持され、上側脚体１８が下側脚体１９に対し傾斜した状態で、すなわち、楔形部材３２の傾斜面の形状に沿った状態で、保持される。
【００２３】
一方、折り畳み脚１ｂを折り畳む場合には、ストッパ２０をばね１１ｂの弾力に抗して下方に引き下げた状態で、上側脚体１８を第二の枢軸２４を中心に回動することで、上側脚体１８の下端縁と係止爪部３１との係合を外す。そして、上側脚体１８および下側脚体１９を、第一の枢軸２３、第二の枢軸２４、第三の枢軸２７を中心に回動し、下側脚体１９を上側脚体１８の内側に収納することで、折り畳み脚１ｂの折り畳みを完了する。
【００２４】
なお、本例の折り畳み脚１ｂでは、上側脚体１８および下側脚体１９により構成される脚構造は、楔形の連結部３０と楔形部材３２の楔の角度だけ屈曲して伸長する。この屈曲の度合いは、脚構造のデザイン性と剛性のバランスから、脚構造を構成する部材そのものの剛性の影響も考慮しつつ、任意に決定することが可能である。したがって、屈曲の度合いは、連結部３０と楔形部材の３２の楔の角度を変更することで変更可能であり、脚構造の設計の自由度は高いものとなっている。ただし、連結部３０と楔形部材３２を平板状の部材から構成することにより、展開時に、上側脚体１８と下側脚体１９が実質的に平行に、すなわち、脚構造全体として直線状になるように展開および保持させることも可能である。
【００２５】
本例の折り畳み脚１ｂによれば、展開および折り畳みを容易に行うことができる。すなわち、折り畳み脚１ｂを展開する場合、上側脚体１８および下側脚体１９を、第一の枢軸２３、第二の枢軸２４、第三の枢軸２７を中心に回動させるだけで、上側脚体１８の下端縁と係止爪部３１の先端部とが当接すると、上側脚体１８の下端縁が、ストッパ２０を下方に押し下げて、係止爪部３１の先端部を乗り越えて、係止爪部３１の内側にある凹溝に入り込んで、係止爪部３１と係合する。一方、折り畳み脚１ｂを折り畳む場合には、係止爪部３１を下方に変位させる必要はあるが、指で係止爪部３１を下方に軽く押すだけで、上側脚体１８の下端縁と係止爪部３１の係合を解除することか可能である。したがって、従来構造では、折り畳み脚を折り畳む際に、図６に示すように、半球面状の軸杆１２の先端部を指先で押圧したり、図７（Ｂ）に示すように、切り欠き１４ａに径方向に関して全体が入り込んでいるピン１７を切り欠き１４ａから完全に抜け出させるために、ピン１７を下方に強い力で押圧したりする必要があるのに対して、本例では、わずかな干渉量で上側脚体１８の下端縁と係止爪部３１が係合しているため、指先に大きな力が加わったり、折り畳み時応対を保持する係合の解除に大きな力が要したり、天板金具と脚体金具との間に指先を挟むといったことがない。一方、ストッパ２０は、下側脚体１９の長手方向に伸長する板状部材である側板部２９と、幅方向にこの側板部２９を連結するとともに、上下方向に伸長、かつ、楔形の側面を備える連結部３０と、中実材である楔形部材３２とに構成されるとともに、中実材であった上側脚体１８の幅の１／４〜１／２の範囲の幅を有する係止爪部３１によって、上側脚体１８を回動させようとする荷重を受けているため、上側脚体１８の下端縁と係止爪部３１の係合の干渉量がわずかであっても、脚構造としての剛性を高めることができる。
【００２６】
また、本例の折り畳み脚１ｂは、上側脚体１８の下端寄り部分に、下側脚体１９の上端部を第二の枢軸２４により回動可能に支持することで構成している。したがって、展開状態において、折り畳み脚１ｂの高さ寸法を十分に確保できる。一方、折り畳み脚１ｂは、折り畳んだ状態では、上側脚体１８の内側に下側脚体１９を収納することができる。よって、折り畳んだ状態で折り畳み脚１ｂの長さ寸法は、上側脚体１８の長さ寸法と同じとなり、折り畳み状態における折り畳み脚１ｂの長さ寸法を十分に抑えることができる。
【００２７】
また、展開状態において、上側脚体１８と下側脚体１９が所定の角度を有する位置関係が保持される。したがって、脚構造が単に天板から垂直に伸長する態様だけでなく、屈曲した状態で脚構造を保持できるため、デザインの自由度が大きく向上する。
【００２８】
［折り畳みテーブルの実施の形態の一例］
図４は、本発明の折り畳み脚の実施の形態の一例を利用した、本発明の折り畳みテーブルの実施の形態の一例を示している。本例の折り畳みテーブル３６は、円盤状の天板２ａと、円環状の底板３７とを複数個（図示の例では４個）の折り畳み脚１ｂにより連結することにより構成されている。本例の折り畳みテーブル３６は、天板２ｂと底板３７とが互いに離隔するように、底板３７を天板２ｂに対し上方に変位させることで、簡単に展開可能となっている。
【００２９】
なお、本発明の折り畳み脚を折り畳みテーブル、その他の折り畳み式の家具やアウトドア用品などに組み込む場合、必ずしも、本発明の実施の形態の一例のように、底板を設けて、折り畳み脚の下端部を底板に回動可能に支持する必要はない。すなわち、底板を省略して、折り畳み脚の下端部を自由端とし、折り畳み脚を独立して展開および折り畳み可能にすることもできる。
【産業上の利用可能性】
【００３０】
本発明の折り畳み脚は、折り畳みテーブルに限らず、折り畳み椅子、その他本発明の折り畳み脚の構造を適用可能な折り畳み式の家具、アウトドア用品などに広く適用することが可能である。
【符号の説明】
【００３１】
１、１ａ、１ｂ  折り畳み脚
２、２ａ、２ｂ  天板
３、３ａ  天板金具
４    連結板部
５、５ａ  脚体
６、６ａ  脚体金具
７    連結板部
８    枢軸
９    通孔
１０    通孔
１１、１１ａ、１１ｂ  ばね
１２    軸杆
１３    側板部
１４ａ、１４ｂ  切り欠き
１５ａ、１５ｂ  側板部
１６    上下方向長孔
１７    ピン
１８    上側脚体
１９    下側脚体
２０    ストッパ
２１    上板部
２２    上側金具
２３    第一の枢軸
２４    第二の枢軸
２５    下板部
２６    下側金具
２７    第三の枢軸
２８    中間素材
２９    側板部
３０    連結部
３１    係止爪部
３２    楔形部材
３３    中間素材
３４    リベット
３５    上下方向長孔
３６    折り畳みテーブル
３７    底板
【図１】
0005717102.tif 000002
【図２】
0005717102.tif 000003
【図３】
0005717102.tif 000004
【図４】
0005717102.tif 000005
【図５】
0005717102.tif 000006
【図６】
0005717102.tif 000007
【図７】
0005717102.tif 000008
【図８】
0005717102.tif 000009